(57)【要約】【課題】本発明は家庭用レンジフードに吸着した油煙に洗浄を行う装置を開示した。      【解決手段】左右対称のクランプ箱を含み、前記クランプ箱の中には装置全体をレンジフードにきつく挟めるクランプ機構が設置され、前記クランプ箱の中には移動チャンバーが設置され、前記移動チャンバーの中には移動箱がスライドできるように取り付けられ、クランプ機構の中のクランプブロックとクランプ箱とを通し、装置全体をレンジフードにきつく挟むことができ、それに、洗浄の過程においてポンプが排水管を通して洗剤を絶え間なく噴射し、洗浄機構の中のスライドブロックが左右にスライドすると同時に、洗浄ブラシが第一ラックを通して回転し、レンジフードの表面をよりよく洗浄でき、洗浄する時、洗浄箱が前後にスライドし、それに制限機構を通して洗浄箱の位置を調整することができ、洗浄の範囲を増加する。【選択図】図１
2020201027.tif 000002
【特許請求の範囲】
【請求項１】
正面視で、左右対称のクランプ箱を含み、前記クランプ箱の中には装置全体をレンジフードにきつく挟めるクランプ機構が設置され、前記クランプ箱の中には移動チャンバーが設置され、前記移動チャンバーの中には移動箱がスライドできるように取り付けられ、前記クランプ箱と前記移動箱と間には前記移動箱の移動を制限する制限機構が設置され、前記移動箱の中には回転チャンバーが設置され、左右両側の前記回転チャンバーの間には洗浄箱がスライドできるように取り付けられ、前記洗浄箱の中にはレンジフードに吸着した油煙に洗浄を行うことができる洗浄機構が設置され、前記洗浄機構は前記洗浄箱の頂面に設置された上方に開口したスライドチャンバーを含み、前記スライドチャンバーの中にはスライドブロックが左右対称的にスライドできるように取り付けられ、前記スライドブロックには洗浄ブラシが設置され、前記スライドブロックの中には回転機構が設置され、左右両側の前記スライドブロックが前記スライドチャンバーの中でスライドする時、前記スライドブロックが前記回転機構を通して前記洗浄ブラシを回転連動させ、前記洗浄ブラシにレンジフードを更にきれいに洗浄させることができ、
前記洗浄箱の中にはまた前記スライドブロックのスライドに動力を提供する動力機構が設置されていることを特徴とする家庭用レンジフードに吸着した油煙に洗浄を行う装置。
【請求項２】
前記クランプ機構は伸縮チャンバーと伸縮ロッドと第一バネとクランプロッドとクランプブロックと蝶ナットとにより構成され、
前記伸縮チャンバーは前記クランプ箱の中に設置され、前記伸縮チャンバーの中には伸縮ロッドがスライドできるように取り付けられ、前記伸縮ロッドと前記伸縮チャンバーとの間には第一バネが固定的に取り付けられ、前記伸縮ロッドの頂面にはクランプロッドが固定的に取り付けられ、前記クランプにはクランプブロックがスライドできるように取り付けられ、前記クランプロッドにおいて前記クランプブロックの上方には蝶ナットがネジ山により取り付けられたことを特徴とする請求項１に記載の家庭用レンジフードに吸着した油煙に洗浄を行う装置。
【請求項３】
前記洗浄機構はまた洗剤チャンバーとポンプと抽水管と排出管とノズルとにより構成され、
前記洗剤チャンバーが前記スライドチャンバーの左側に設置され、前記洗剤チャンバーの右側にはポンプが設置され、前記ポンプの左側面には抽水管が固定的に取り付けられ、前記抽水管が前記洗剤チャンバーと連通し、前記ポンプの右側面には前記洗浄箱の頂面を貫通した排水管が固定的に取り付けられ、前記排水管の頂壁にはノズルが固定的に取り付けられたことを特徴とする請求項１に記載の家庭用レンジフードに吸着した油煙に洗浄を行う装置。
【請求項４】
前記回転機構は第一ラックとサポーターチャンバーとサポーターロッドと第四歯車とにより構成され、
前記第一ラックが前記スライドチャンバーの前側に固定的に取り付けられ、前記スライドブロックの中には前方に開口したサポートチャンバーが設置され、前記洗浄ブラシの底面には前記サポートチャンバーの頂壁を貫通したサポートロッドが固定的に取り付けられ、前記サポートロッドの底面には第四歯車が固定的に取り付けられ、前記第四歯車が前記第一ラックと噛み合っていることを特徴とする請求項１に記載の家庭用レンジフードに吸着した油煙に洗浄を行う装置。
【請求項５】
前記動力機構はモーターと噛合チャンバーと動力ロッドと第一ベベルギアとネジ山ロッドと第二ベベルギアとにより構成させ、
前記モーターが前記移動箱の中に設置され、前記モーターの左右両側には噛合チャンバーが対称的に設置され、前記モーターの左右両側面には前記噛合チャンバーを貫通した動力ロッドが固定的に取り付けられ、前記動力ロッドにおいて前記噛合チャンバーの中には第一ベベルギアが固定的に取り付けられ、前記回転チャンバーの前側内壁の中には前記噛合チャンバーの前側内壁を貫通したネジ山ロッドが回転できるように取り付けられ、前記ネジ山ロッドの後側面には第二ベベルギアが固定的に取り付けられ、前記第二ベベルギアが前記第一ベベルギアと噛み合っていることを特徴とする請求項１に記載の家庭用レンジフードに吸着した油煙に洗浄を行う装置。
【請求項６】
前記回転チャンバーの中には第二ラックが固定的に取り付けられ、前記洗浄箱の中には伝動チャンバーが左右対称的に設置され、前記伝動チャンバーと前記回転チャンバーとの間には連結ロッドが回転できるように取り付けられ、前記連結ロッドの底面には第一歯車が固定的に取り付けられ、前記第一歯車が前記第二ラックと噛み合っていることを特徴とする請求項１に記載の家庭用レンジフードに吸着した油煙に洗浄を行う装置。
【請求項７】
前記連結ロッドの頂面には第二歯車が固定的に取り付けられ、前記スライドチャンバーの底壁にはヒンジチャンバーが連通するように設置され、前記ヒンジチャンバーと前記伝動チャンバーとの間には回転ロッドが回転できるように取り付けられ、前記回転ロッドの底面には第三歯車が固定的に取り付けられ、前記第三歯車と前記第二歯車との間にはチェーンが動力が伝動できるように取り付けられ、前記回転ロッドの頂面には回転盤が固定的に取り付けられ、前記回転盤の頂面にはヒンジロッドがヒンジにより取り付けられ、前記ヒンジロッドが前記スライドブロックとヒンジにより取り付けられたことを特徴とする請求項６に記載の家庭用レンジフードに吸着した油煙に洗浄を行う装置。
【請求項８】
前記制限機構は引っ張りチャンバーと引っ張り板と第二バネとにより構成され、
前記引っ張りチャンバーが前記クランプ箱の中に設置され、前記引っ張りチャンバーが前記移動チャンバーと連通され、前記引っ張りチャンバーの中には引っ張り板がスライドできるように取り付けられ、前記引っ張り板と前記引っ張りチャンバーとの間には第二バネが固定的に取り付けられ、前記引っ張り板が前記移動箱と貼り付いた面には歯車の歯が設置されていることを特徴とする請求項１に記載の家庭用レンジフードに吸着した油煙に洗浄を行う装置。
【発明の詳細な説明】
【技術分野】
【０００１】
本発明は油煙洗浄技術分野に関し、具体的には家庭用レンジフードに吸着した油煙に洗浄を行う装置である。
【背景技術】
【０００２】
レンジフードはキッチンを浄化するキッチン電気製品であり、キッチンのかまどの上方に取り付けられ、かまどが燃焼した廃物と調理過程において産生した人体に有害する油煙を迅速に抽出し、室外に排出し、汚染を減少し、空気を浄化し、それに防毒、防爆の安全保障作用があり、しかしレンジフードを長期的に使えばレンジフードの表面に油煙が付着され、定期的に洗浄する必要がある。
レンジフードに吸着した油煙を洗浄する時は、普通に人が雑巾を使用して洗浄し、常に雑巾で一遍拭き取るのみであり、レンジフードの表面の油煙を完全にきれいに洗浄することができなく、洗浄する時に手には常に洗浄しにくい油が付着し、それも洗浄しにくく、洗浄過程において、スツール或いは高度を増加できる物体に立つ必要があり、安全の隠れた危険がある。
【先行技術文献】
【特許文献】
【０００３】
【特許文献１】中国特許出願公開第１０４３５３６３６号明細書
【発明の概要】
【発明が解決しようとする課題】
【０００４】
本発明は家庭用レンジフードに吸着した油煙に洗浄を行う装置を提供し、従来技術における上記欠点を解消することを目的とする。
【課題を解決するための手段】
【０００５】
本発明は以下の技術プランを通じて実現される：本発明の実施例の家庭用レンジフードに吸着した油煙に洗浄を行う装置は、左右対称のクランプ箱を含み、前記クランプ箱の中には装置全体をレンジフードにきつく挟めるクランプ機構が設置され、前記クランプ箱の中には移動チャンバーが設置され、前記移動チャンバーの中には移動箱がスライドできるように取り付けられ、前記クランプ箱と前記移動箱と間には前記移動箱の移動を制限する制限機構が設置され、前記移動箱の中には回転チャンバーが設置され、左右両側の前記回転チャンバーの間には洗浄箱がスライドできるように取り付けられ、前記洗浄箱の中にはレンジフードに吸着した油煙に洗浄を行うことができる洗浄機構が設置され、前記洗浄機構は前記洗浄箱の頂面に設置された上方に開口したスライドチャンバーを含み、前記スライドチャンバーの中にはスライドブロックが左右対称的にスライドできるように取り付けられ、前記スライドブロックには洗浄ブラシが設置され、前記スライドブロックの中には回転機構が設置され、左右両側の前記スライドブロックが前記スライドチャンバーの中でスライドする時、前記スライドブロックが前記回転機構を通して前記洗浄ブラシを回転連動させ、前記洗浄ブラシにレンジフードを更にきれいに洗浄させることができ、
前記洗浄箱の中にはまた前記スライドブロックのスライドに動力を提供する動力機構が設置されている。
【０００６】
上記の技術プランに基づき、前記クランプ機構は伸縮チャンバーと伸縮ロッドと第一バネとクランプロッドとクランプブロックと蝶ナットとにより構成され、前記伸縮チャンバーは前記クランプ箱の中に設置され、前記伸縮チャンバーの中には伸縮ロッドがスライドできるように取り付けられ、前記伸縮ロッドと前記伸縮チャンバーとの間には第一バネが固定的に取り付けられ、前記伸縮ロッドの頂面にはクランプロッドが固定的に取り付けられ、前記クランプにはクランプブロックがスライドできるように取り付けられ、前記クランプロッドにおいて前記クランプブロックの上方には蝶ナットがネジ山により取り付けられた。
【０００７】
上記の技術プランに基づき、前記洗浄機構はまた洗剤チャンバーとポンプと抽水管と排出管とノズルとにより構成され、前記洗剤チャンバーが前記スライドチャンバーの左側に設置され、前記洗剤チャンバーの右側にはポンプが設置され、前記ポンプの左側面には抽水管が固定的に取り付けられ、前記抽水管が前記洗剤チャンバーと連通し、前記ポンプの右側面には前記洗浄箱の頂面を貫通した排水管が固定的に取り付けられ、前記排水管の頂壁にはノズルが固定的に取り付けられた。
【０００８】
上記の技術プランに基づき、前記回転機構は第一ラックとサポーターチャンバーとサポーターロッドと第四歯車とにより構成され、前記第一ラックが前記スライドチャンバーの前側に固定的に取り付けられ、前記スライドブロックの中には前方に開口したサポートチャンバーが設置され、前記洗浄ブラシの底面には前記サポートチャンバーの頂壁を貫通したサポートロッドが固定的に取り付けられ、前記サポートロッドの底面には第四歯車が固定的に取り付けられ、前記第四歯車が前記第一ラックと噛み合っている。
【０００９】
上記の技術プランに基づき、前記動力機構はモーターと噛合チャンバーと動力ロッドと第一ベベルギアとネジ山ロッドと第二ベベルギアとにより構成させ、前記モーターが前記移動箱の中に設置され、前記モーターの左右両側には噛合チャンバーが対称的に設置され、前記モーターの左右両側面には前記噛合チャンバーを貫通した動力ロッドが固定的に取り付けられ、前記動力ロッドにおいて前記噛合チャンバーの中には第一ベベルギアが固定的に取り付けられ、前記回転チャンバーの前側内壁の中には前記噛合チャンバーの前側内壁を貫通したネジ山ロッドが回転できるように取り付けられ、前記ネジ山ロッドの後側面には第二ベベルギアが固定的に取り付けられ、前記第二ベベルギアが前記第一ベベルギアと噛み合っている。
【００１０】
上記の技術プランに基づき、前記回転チャンバーの中には第二ラックが固定的に取り付けられ、前記洗浄箱の中には伝動チャンバーが左右対称的に設置され、前記伝動チャンバーと前記回転チャンバーとの間には連結ロッドが回転できるように取り付けられ、前記連結ロッドの底面には第一歯車が固定的に取り付けられ、前記第一歯車が前記第二ラックと噛み合っている。
【００１１】
上記の技術プランに基づき、前記連結ロッドの頂面には第二歯車が固定的に取り付けられ、前記スライドチャンバーの底壁にはヒンジチャンバーが連通するように設置され、前記ヒンジチャンバーと前記伝動チャンバーとの間には回転ロッドが回転できるように取り付けられ、前記回転ロッドの底面には第三歯車が固定的に取り付けられ、前記第三歯車と前記第二歯車との間にはチェーンが動力が伝動できるように取り付けられ、前記回転ロッドの頂面には回転盤が固定的に取り付けられ、前記回転盤の頂面にはヒンジロッドがヒンジにより取り付けられ、前記ヒンジロッドが前記スライドブロックとヒンジにより取り付けられた。
【００１２】
上記の技術プランに基づき、前記制限機構は引っ張りチャンバーと引っ張り板と第二バネとにより構成され、前記引っ張りチャンバーが前記クランプ箱の中に設置され、前記引っ張りチャンバーが前記移動チャンバーと連通され、前記引っ張りチャンバーの中には引っ張り板がスライドできるように取り付けられ、前記引っ張り板と前記引っ張りチャンバーとの間には第二バネが固定的に取り付けられ、前記引っ張り板が前記移動箱と貼り付いた面には歯車の歯が設置されている。
【発明の効果】
【００１３】
本発明の有益効果：本発明はクランプ機構中のクランプブロックとクランプ箱を通し、装置全体をレンジフードにきつく挟み、洗浄過程全体において人をスツール或いは高度を増加できる物体に立たせる必要がなく、人員の安全を保証し、それに、洗浄の過程においてポンプが排水管を通して洗剤を絶え間なく噴射し、洗浄機構の中のスライドブロックが左右にスライドすると同時に、洗浄ブラシが第一ラックを通して回転し、レンジフードの表面をよりよく洗浄でき、よりきれいに洗浄し、洗浄する時、洗浄箱が前後にスライドし、それに制限機構を通して洗浄箱の位置を調整することができ、洗浄の範囲を増加し、レンジフードの表面を全部きれいに洗浄し、普及に値する。
【図面の簡単な説明】
【００１４】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の全体構成模式図
【図２】図２は図１のＡ―Ａ方向の断面構成模式図
【図３】図３は図１のＢの拡大構成模式図
【図４】図４は図３のＣ―Ｃ方向の断面構成模式図
【発明を実施するための形態】
【００１６】
図１〜４を参照し、本発明の実施例の家庭用レンジフードに吸着した油煙に洗浄を行う装置は、左右対称のクランプ箱２１を含み、前記クランプ箱２１の中には装置全体をレンジフードにきつく挟めるクランプ機構１０１が設置され、前記クランプ箱２１の中には移動チャンバー３３が設置され、前記移動チャンバー３３の中には移動箱３０がスライドできるように取り付けられ、前記クランプ箱２１と前記移動箱３０と間には前記移動箱３０の移動を制限する制限機構１０５が設置され、前記移動箱３０の中には回転チャンバー３２が設置され、左右両側の前記回転チャンバー３２の間には洗浄箱４０がスライドできるように取り付けられ、前記洗浄箱４０の中にはレンジフードに吸着した油煙に洗浄を行うことができる洗浄機構１０２が設置され、前記洗浄機構１０２は前記洗浄箱４０の頂面に設置された上方に開口したスライドチャンバー１２を含み、前記スライドチャンバー１２の中にはスライドブロック１３が左右対称的にスライドできるように取り付けられ、前記スライドブロック１３には洗浄ブラシ１４が設置され、前記スライドブロック１３の中には回転機構１０３が設置され、左右両側の前記スライドブロック１３が前記スライドチャンバー１２の中でスライドする時、前記スライドブロック１３が前記回転機構１０３を通して前記洗浄ブラシ１４を回転連動させ、前記洗浄ブラシ１４にレンジフードを更にきれいに洗浄させることができ、前記洗浄箱４０の中にはまた前記スライドブロック１３のスライドに動力を提供する動力機構１０４が設置されている。
【００１７】
それから、もう一つの実施例において、前記クランプ機構１０１は前記クランプ箱２１の中に設置された伸縮チャンバー２０を含み、前記伸縮チャンバー２０の中には伸縮ロッド２５がスライドできるように取り付けられ、前記伸縮ロッド２５と前記伸縮チャンバー２０との間には第一バネ１９が固定的に取り付けられ、前記伸縮ロッド２５の頂面にはクランプロッド２４が固定的に取り付けられ、前記クランプロッド２４にはクランプブロック２３がスライドできるように取り付けられ、前記クランプロッド２４において前記クランプブロック２３の上方には蝶ナット２２がネジ山により取り付けられ、それによりレンジフードをクランプブロック２３とクランプ箱２１との間に挟み、それに蝶ナット２２を回転させることによりきつく挟む。
【００１８】
それから、もう一つの実施例において、前記洗浄機構１０２はまた前記スライドチャンバー１２の左側に設置された洗剤チャンバー２８を含み、前記洗剤チャンバー２８の右側にはポンプ１６が設置され、前記ポンプ１６の左側面には抽水管１８が固定的に取り付けられ、前記抽水管１８が前記洗剤チャンバー２８と連通し、前記ポンプ１６の右側面には前記洗浄箱４０の頂面を貫通した排水管１５が固定的に取り付けられ、前記排水管１５の頂壁にはノズル１７が固定的に取り付けられ、それにより洗浄機構１０２が洗浄を行う時、ポンプ１６が抽水管１８を通して洗剤を洗剤チャンバー２８の中から抽出し、それに排水管１５とノズル１７とを通して噴出する。
【００１９】
それから、もう一つの実施例において、前記回転機構１０３は前記スライドチャンバー１２の前側内壁に固定的に取り付けられた第一ラック５０を含み、前記スライドブロック１３の中には前方に開口したサポートチャンバー５３が設置され、前記洗浄ブラシ１４の底面には前記サポートチャンバー５３の頂壁を貫通したサポートロッド５１が固定的に取り付けられ、前記サポートロッド５１の底面には第四歯車５２が固定的に取り付けられ、前記第四歯車５２が前記第一ラック５０と噛み合っており、それによりスライドブロック１３がスライドチャンバー１２の中でスライドする時、第一ラック５０が第四歯車５２を回転させ、第四歯車５２が回転しサポートロッド５１を回転連動させ、洗浄ブラシ１４を回転させる。
【００２０】
それから、もう一つの実施例において、前記動力機構１０４は前記移動箱３０の中に設置されたモーター４９を含み、前記モーター４９の左右両側には噛合チャンバー４５が対称的に設置され、前記モーター４９の左右両側面には前記噛合チャンバー４５を貫通した動力ロッド４８が固定的に取り付けられ、前記動力ロッド４８において前記噛合チャンバー４５の中には第一ベベルギア４７が固定的に取り付けられ、前記回転チャンバー３２の前側内壁の中には前記噛合チャンバー４５の前側内壁を貫通したネジ山ロッド１１が回転できるように取り付けられ、前記ネジ山ロッド１１の後側面には第二ベベルギア４６が固定的に取り付けられ、前記第二ベベルギア４６と前記第一ベベルギア４７と噛み合っており、それによりモーター４９が起動して動力ロッド４８を回転連動させる時、動力ロッド４８が第一ベベルギア４７と第二ベベルギア４６との噛合を通してネジ山ロッド１１を回転連動させ、ネジ山ロッド１１が回転して洗浄箱４０を前後に移動することを可能となる。
【００２１】
それから、もう一つの実施例において、前記回転チャンバー３２の中には第二ラック３１が固定的に取り付けられ、前記洗浄箱４０の中には伝動チャンバー３８が左右対称的に設置され、前記伝動チャンバー３８と前記回転チャンバー３２との間には連結ロッド３５が回転できるように取り付けられ、前記連結ロッド３５の底面には第一歯車３４が固定的に取り付けられ、前記第一歯車３４が前記第二ラック３１と噛み合っており、それにより洗浄箱４０が前後に移動する時、第二ラック３１が第一歯車３４を回転連動させ、連結ロッド３５を回転させる。
【００２２】
それから、もう一つの実施例において、前記連結ロッド３５の頂面には第二歯車３６が固定的に取り付けられ、前記スライドチャンバー１２の底壁にはヒンジチャンバー４１が連通するように設置され、前記ヒンジチャンバー４１と前記伝動チャンバー３８との間には回転ロッド４４が回転できるように取り付けられ、前記回転ロッド４４の底面には第三歯車３９が固定的に取り付けられ、前記第三歯車３９と前記第二歯車３６との間にはチェーン３７が動力が伝動できるように取り付けられ、前記回転ロッド４４の頂面には回転盤４３が固定的に取り付けられ、前記回転盤４３の頂面にはヒンジロッド４２がヒンジにより取り付けられ、前記ヒンジロッド４２が前記スライドブロック１３とヒンジにより取り付けられ、それにより連結ロッド３５が回転する時、連結ロッド３５が第二歯車３６を回転連動させ、第二歯車３６がチェーン３７を通して第三歯車３９を回転連動させ、第三歯車３９が回転して回転ロッド４４と回転盤４３とを回転連動させ、回転盤４３がヒンジロッド４２を通してスライドブロック１３を左右に移動させる。
【００２３】
それから、もう一つの実施例において、前記制限機構１０５は前記クランプ箱２１の中に設置された引っ張りチャンバー２７を含み、前記引っ張りチャンバー２７が前記移動チャンバー３３と連通され、前記引っ張りチャンバー２７の中には引っ張り板２６がスライドできるように取り付けられ、前記引っ張り板２６と前記引っ張りチャンバー２７との間には第二バネ２９が固定的に取り付けられ、前記引っ張り板２６が前記移動箱３０と貼り付いた面には歯車の歯が設置され、それにより引っ張り板２６が移動箱３０の移動を制限でき、引っ張り板２６を引っ張ることを通して引っ張り板２６と移動箱３０とを引っ掛かり状態から離脱させ、移動箱３０の位置を調整することにより洗浄機構１０２の洗浄面積を増加できる。
【００２４】
使用する時、レンジフードをクランプブロック２３とクランプ箱２１との間に挟むことができ、また蝶ナット２２を回転させることを通してきつく挟み、洗浄機構１０２が洗浄を行う時、ポンプ１６が抽水管１８を通して洗剤を洗剤チャンバー２８の中から抽出し、それに排水管１５とノズル１７とを通して噴射し、モーター４９が起動して動力ロッド４８を回転連動させる時、動力ロッド４８が第一ベベルギア４７と第二ベベルギア４６との噛合を通してネジ山ロッド１１を回転連動させ、ネジ山ロッド１１が回転して洗浄箱４０を前後に移動することを可能とさせ、その時に第二ラック３１が第一歯車３４を回転連動させ、連結ロッド３５を回転させ、連結ロッド３５が回転して第二歯車３６を回転連動させ、第二歯車３６がチェーン３７を通して第三歯車３９を回転連動させ、第三歯車３９が回転して回転ロッド４４と回転盤４３とを回転連動させ、回転盤４３がヒンジロッド４２を通してスライドブロック１３を左右に移動させ、スライドブロック１３がスライドチャンバー１２の中にスライドする時、第一ラック５０が第四歯車５２を回転させ、第四歯車５２が回転してサポートロッド５１を回転連動させ、洗浄ブラシ１４を回転させ、レンジフードの表面に洗浄を行い、引っ張り板２６が移動箱３０の移動を制限でき、引っ張り板２６を引っ張ることを通して引っ張り板２６と移動箱とを引っ掛かり状態から離脱させ、移動箱３０の位置を調整することにより洗浄機構１０２の洗浄面積を増加できる。
【００２５】
本発明の有益効果：本発明はクランプ機構中のクランプブロックとクランプ箱を通し、装置全体をレンジフードにきつく挟み、洗浄過程全体において人をスツール或いは高度を増加できる物体に立たせる必要がなく、人員の安全を保証し、それに、洗浄の過程においてポンプが排水管を通して洗剤を絶え間なく噴射し、洗浄機構の中のスライドブロックが左右にスライドすると同時に、洗浄ブラシが第一ラックを通して回転し、レンジフードの表面をよりよく洗浄でき、よりきれいに洗浄し、洗浄する時、洗浄箱が前後にスライドし、それに制限機構を通して洗浄箱の位置を調整することができ、洗浄の範囲を増加し、レンジフードの表面を全部きれいに洗浄し、普及に値する。
【００２６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020201027.tif 000003
【図２】
2020201027.tif 000004
【図３】
2020201027.tif 000005
【図４】
2020201027.tif 000006
【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
正面視で、左右対称のクランプ箱を含み、前記クランプ箱の中には装置全体をレンジフードにきつく挟めるクランプ機構が設置され、前記クランプ箱の中には移動チャンバーが設置され、前記移動チャンバーの中には移動箱がスライドできるように取り付けられ、前記クランプ箱と前記移動箱と間には前記移動箱の移動を制限する制限機構が設置され、前記移動箱の中には回転チャンバーが設置され、左右両側の前記回転チャンバーの間には洗浄箱がスライドできるように取り付けられ、前記洗浄箱の中にはレンジフードに吸着した油煙に洗浄を行うことができる洗浄機構が設置され、前記洗浄機構は前記洗浄箱の頂面に設置された上方に開口したスライドチャンバーを含み、前記スライドチャンバーの中にはスライドブロックが左右対称的にスライドできるように取り付けられ、前記スライドブロックには洗浄ブラシが設置され、前記スライドブロックの中には回転機構が設置され、左右両側の前記スライドブロックが前記スライドチャンバーの中でスライドする時、前記スライドブロックが前記回転機構を通して前記洗浄ブラシを回転連動させ、前記洗浄ブラシにレンジフードを更にきれいに洗浄させることができ、
前記洗浄箱の中にはまた前記スライドブロックのスライドに動力を提供する動力機構が設置されていることを特徴とする家庭用レンジフードに吸着した油煙に洗浄を行う装置。
【請求項２】
前記クランプ機構は伸縮チャンバーと伸縮ロッドと第一バネとクランプロッドとクランプブロックと蝶ナットとにより構成され、
前記伸縮チャンバーは前記クランプ箱の中に設置され、前記伸縮チャンバーの中には伸縮ロッドがスライドできるように取り付けられ、前記伸縮ロッドと前記伸縮チャンバーとの間には第一バネが固定的に取り付けられ、前記伸縮ロッドの頂面にはクランプロッドが固定的に取り付けられ、前記クランプロッドにはクランプブロックがスライドできるように取り付けられ、前記クランプロッドにおいて前記クランプブロックの上方には蝶ナットがネジ山により取り付けられたことを特徴とする請求項１に記載の家庭用レンジフードに吸着した油煙に洗浄を行う装置。
【請求項３】
前記洗浄機構はまた洗剤チャンバーとポンプと抽水管と排出管とノズルとにより構成され、
前記洗剤チャンバーが前記スライドチャンバーの左側に設置され、前記洗剤チャンバーの右側にはポンプが設置され、前記ポンプの左側面には抽水管が固定的に取り付けられ、前記抽水管が前記洗剤チャンバーと連通し、前記ポンプの右側面には前記洗浄箱の頂面を貫通した排水管が固定的に取り付けられ、前記排水管の頂壁にはノズルが固定的に取り付けられたことを特徴とする請求項１に記載の家庭用レンジフードに吸着した油煙に洗浄を行う装置。
【請求項４】
前記回転機構は第一ラックとサポーターチャンバーとサポーターロッドと第四歯車とにより構成され、
前記第一ラックが前記スライドチャンバーの前側に固定的に取り付けられ、前記スライドブロックの中には前方に開口したサポートチャンバーが設置され、前記洗浄ブラシの底面には前記サポートチャンバーの頂壁を貫通したサポートロッドが固定的に取り付けられ、前記サポートロッドの底面には第四歯車が固定的に取り付けられ、前記第四歯車が前記第一ラックと噛み合っていることを特徴とする請求項１に記載の家庭用レンジフードに吸着した油煙に洗浄を行う装置。
【請求項５】
前記動力機構はモーターと噛合チャンバーと動力ロッドと第一ベベルギアとネジ山ロッドと第二ベベルギアとにより構成させ、
前記モーターが前記移動箱の中に設置され、前記モーターの左右両側には噛合チャンバーが対称的に設置され、前記モーターの左右両側面には前記噛合チャンバーを貫通した動力ロッドが固定的に取り付けられ、前記動力ロッドにおいて前記噛合チャンバーの中には第一ベベルギアが固定的に取り付けられ、前記回転チャンバーの前側内壁の中には前記噛合チャンバーの前側内壁を貫通したネジ山ロッドが回転できるように取り付けられ、前記ネジ山ロッドの後側面には第二ベベルギアが固定的に取り付けられ、前記第二ベベルギアが前記第一ベベルギアと噛み合っていることを特徴とする請求項１に記載の家庭用レンジフードに吸着した油煙に洗浄を行う装置。
【請求項６】
前記回転チャンバーの中には第二ラックが固定的に取り付けられ、前記洗浄箱の中には伝動チャンバーが左右対称的に設置され、前記伝動チャンバーと前記回転チャンバーとの間には連結ロッドが回転できるように取り付けられ、前記連結ロッドの底面には第一歯車が固定的に取り付けられ、前記第一歯車が前記第二ラックと噛み合っていることを特徴とする請求項１に記載の家庭用レンジフードに吸着した油煙に洗浄を行う装置。
【請求項７】
前記連結ロッドの頂面には第二歯車が固定的に取り付けられ、前記スライドチャンバーの底壁にはヒンジチャンバーが連通するように設置され、前記ヒンジチャンバーと前記伝動チャンバーとの間には回転ロッドが回転できるように取り付けられ、前記回転ロッドの底面には第三歯車が固定的に取り付けられ、前記第三歯車と前記第二歯車との間にはチェーンが動力が伝動できるように取り付けられ、前記回転ロッドの頂面には回転盤が固定的に取り付けられ、前記回転盤の頂面にはヒンジロッドがヒンジにより取り付けられ、前記ヒンジロッドが前記スライドブロックとヒンジにより取り付けられたことを特徴とする請求項６に記載の家庭用レンジフードに吸着した油煙に洗浄を行う装置。
【請求項８】
前記制限機構は引っ張りチャンバーと引っ張り板と第二バネとにより構成され、
前記引っ張りチャンバーが前記クランプ箱の中に設置され、前記引っ張りチャンバーが前記移動チャンバーと連通され、前記引っ張りチャンバーの中には引っ張り板がスライドできるように取り付けられ、前記引っ張り板と前記引っ張りチャンバーとの間には第二バネが固定的に取り付けられ、前記引っ張り板が前記移動箱と貼り付いた面には歯車の歯が設置されていることを特徴とする請求項１に記載の家庭用レンジフードに吸着した油煙に洗浄を行う装置。
【手続補正２】
【補正対象書類名】明細書
【補正対象項目名】全文
【補正方法】変更
【補正の内容】
【発明の詳細な説明】
【技術分野】
【０００１】
本発明は油煙洗浄技術分野に関し、具体的には家庭用レンジフードに吸着した油煙に洗浄を行う装置である。
【背景技術】
【０００２】
レンジフードはキッチンを浄化するキッチン電気製品であり、キッチンのかまどの上方に取り付けられ、かまどが燃焼した廃物と調理過程において産生した人体に有害する油煙を迅速に抽出し、室外に排出し、汚染を減少し、空気を浄化し、それに防毒、防爆の安全保障作用があり、しかしレンジフードを長期的に使えばレンジフードの表面に油煙が付着され、定期的に洗浄する必要がある。
レンジフードに吸着した油煙を洗浄する時は、普通に人が雑巾を使用して洗浄し、常に雑巾で一遍拭き取るのみであり、レンジフードの表面の油煙を完全にきれいに洗浄することができなく、洗浄する時に手には常に洗浄しにくい油が付着し、それも洗浄しにくく、洗浄過程において、スツール或いは高度を増加できる物体に立つ必要があり、安全の隠れた危険がある。
【先行技術文献】
【特許文献】
【０００３】
【特許文献１】中国特許出願公開第１０４３５３６３６号明細書
【発明の概要】
【発明が解決しようとする課題】
【０００４】
本発明は家庭用レンジフードに吸着した油煙に洗浄を行う装置を提供し、従来技術における上記欠点を解消することを目的とする。
【課題を解決するための手段】
【０００５】
本発明は以下の技術プランを通じて実現される：本発明の実施例の家庭用レンジフードに吸着した油煙に洗浄を行う装置は、左右対称のクランプ箱を含み、前記クランプ箱の中には装置全体をレンジフードにきつく挟めるクランプ機構が設置され、前記クランプ箱の中には移動チャンバーが設置され、前記移動チャンバーの中には移動箱がスライドできるように取り付けられ、前記クランプ箱と前記移動箱と間には前記移動箱の移動を制限する制限機構が設置され、前記移動箱の中には回転チャンバーが設置され、左右両側の前記回転チャンバーの間には洗浄箱がスライドできるように取り付けられ、前記洗浄箱の中にはレンジフードに吸着した油煙に洗浄を行うことができる洗浄機構が設置され、前記洗浄機構は前記洗浄箱の頂面に設置された上方に開口したスライドチャンバーを含み、前記スライドチャンバーの中にはスライドブロックが左右対称的にスライドできるように取り付けられ、前記スライドブロックには洗浄ブラシが設置され、前記スライドブロックの中には回転機構が設置され、左右両側の前記スライドブロックが前記スライドチャンバーの中でスライドする時、前記スライドブロックが前記回転機構を通して前記洗浄ブラシを回転連動させ、前記洗浄ブラシにレンジフードを更にきれいに洗浄させることができ、
前記洗浄箱の中にはまた前記スライドブロックのスライドに動力を提供する動力機構が設置されている。
【０００６】
上記の技術プランに基づき、前記クランプ機構は伸縮チャンバーと伸縮ロッドと第一バネとクランプロッドとクランプブロックと蝶ナットとにより構成され、前記伸縮チャンバーは前記クランプ箱の中に設置され、前記伸縮チャンバーの中には伸縮ロッドがスライドできるように取り付けられ、前記伸縮ロッドと前記伸縮チャンバーとの間には第一バネが固定的に取り付けられ、前記伸縮ロッドの頂面にはクランプロッドが固定的に取り付けられ、前記クランプロッドにはクランプブロックがスライドできるように取り付けられ、前記クランプロッドにおいて前記クランプブロックの上方には蝶ナットがネジ山により取り付けられた。
【０００７】
上記の技術プランに基づき、前記洗浄機構はまた洗剤チャンバーとポンプと抽水管と排出管とノズルとにより構成され、前記洗剤チャンバーが前記スライドチャンバーの左側に設置され、前記洗剤チャンバーの右側にはポンプが設置され、前記ポンプの左側面には抽水管が固定的に取り付けられ、前記抽水管が前記洗剤チャンバーと連通し、前記ポンプの右側面には前記洗浄箱の頂面を貫通した排水管が固定的に取り付けられ、前記排水管の頂壁にはノズルが固定的に取り付けられた。
【０００８】
上記の技術プランに基づき、前記回転機構は第一ラックとサポーターチャンバーとサポーターロッドと第四歯車とにより構成され、前記第一ラックが前記スライドチャンバーの前側に固定的に取り付けられ、前記スライドブロックの中には前方に開口したサポートチャンバーが設置され、前記洗浄ブラシの底面には前記サポートチャンバーの頂壁を貫通したサポートロッドが固定的に取り付けられ、前記サポートロッドの底面には第四歯車が固定的に取り付けられ、前記第四歯車が前記第一ラックと噛み合っている。
【０００９】
上記の技術プランに基づき、前記動力機構はモーターと噛合チャンバーと動力ロッドと第一ベベルギアとネジ山ロッドと第二ベベルギアとにより構成させ、前記モーターが前記移動箱の中に設置され、前記モーターの左右両側には噛合チャンバーが対称的に設置され、前記モーターの左右両側面には前記噛合チャンバーを貫通した動力ロッドが固定的に取り付けられ、前記動力ロッドにおいて前記噛合チャンバーの中には第一ベベルギアが固定的に取り付けられ、前記回転チャンバーの前側内壁の中には前記噛合チャンバーの前側内壁を貫通したネジ山ロッドが回転できるように取り付けられ、前記ネジ山ロッドの後側面には第二ベベルギアが固定的に取り付けられ、前記第二ベベルギアが前記第一ベベルギアと噛み合っている。
【００１０】
上記の技術プランに基づき、前記回転チャンバーの中には第二ラックが固定的に取り付けられ、前記洗浄箱の中には伝動チャンバーが左右対称的に設置され、前記伝動チャンバーと前記回転チャンバーとの間には連結ロッドが回転できるように取り付けられ、前記連結ロッドの底面には第一歯車が固定的に取り付けられ、前記第一歯車が前記第二ラックと噛み合っている。
【００１１】
上記の技術プランに基づき、前記連結ロッドの頂面には第二歯車が固定的に取り付けられ、前記スライドチャンバーの底壁にはヒンジチャンバーが連通するように設置され、前記ヒンジチャンバーと前記伝動チャンバーとの間には回転ロッドが回転できるように取り付けられ、前記回転ロッドの底面には第三歯車が固定的に取り付けられ、前記第三歯車と前記第二歯車との間にはチェーンが動力が伝動できるように取り付けられ、前記回転ロッドの頂面には回転盤が固定的に取り付けられ、前記回転盤の頂面にはヒンジロッドがヒンジにより取り付けられ、前記ヒンジロッドが前記スライドブロックとヒンジにより取り付けられた。
【００１２】
上記の技術プランに基づき、前記制限機構は引っ張りチャンバーと引っ張り板と第二バネとにより構成され、前記引っ張りチャンバーが前記クランプ箱の中に設置され、前記引っ張りチャンバーが前記移動チャンバーと連通され、前記引っ張りチャンバーの中には引っ張り板がスライドできるように取り付けられ、前記引っ張り板と前記引っ張りチャンバーとの間には第二バネが固定的に取り付けられ、前記引っ張り板が前記移動箱と貼り付いた面には歯車の歯が設置されている。
【発明の効果】
【００１３】
本発明の有益効果：本発明はクランプ機構中のクランプブロックとクランプ箱を通し、装置全体をレンジフードにきつく挟み、洗浄過程全体において人をスツール或いは高度を増加できる物体に立たせる必要がなく、人員の安全を保証し、それに、洗浄の過程においてポンプが排水管を通して洗剤を絶え間なく噴射し、洗浄機構の中のスライドブロックが左右にスライドすると同時に、洗浄ブラシが第一ラックを通して回転し、レンジフードの表面をよりよく洗浄でき、よりきれいに洗浄し、洗浄する時、洗浄箱が前後にスライドし、それに制限機構を通して洗浄箱の位置を調整することができ、洗浄の範囲を増加し、レンジフードの表面を全部きれいに洗浄し、普及に値する。
【図面の簡単な説明】
【００１４】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の全体構成模式図
【図２】図２は図１のＡ―Ａ方向の断面構成模式図
【図３】図３は図１のＢの拡大構成模式図
【図４】図４は図３のＣ―Ｃ方向の断面構成模式図
【発明を実施するための形態】
【００１６】
図１〜４を参照し、本発明の実施例の家庭用レンジフードに吸着した油煙に洗浄を行う装置は、左右対称のクランプ箱２１を含み、前記クランプ箱２１の中には装置全体をレンジフードにきつく挟めるクランプ機構１０１が設置され、前記クランプ箱２１の中には移動チャンバー３３が設置され、前記移動チャンバー３３の中には移動箱３０がスライドできるように取り付けられ、前記クランプ箱２１と前記移動箱３０と間には前記移動箱３０の移動を制限する制限機構１０５が設置され、前記移動箱３０の中には回転チャンバー３２が設置され、左右両側の前記回転チャンバー３２の間には洗浄箱４０がスライドできるように取り付けられ、前記洗浄箱４０の中にはレンジフードに吸着した油煙に洗浄を行うことができる洗浄機構１０２が設置され、前記洗浄機構１０２は前記洗浄箱４０の頂面に設置された上方に開口したスライドチャンバー１２を含み、前記スライドチャンバー１２の中にはスライドブロック１３が左右対称的にスライドできるように取り付けられ、前記スライドブロック１３には洗浄ブラシ１４が設置され、前記スライドブロック１３の中には回転機構１０３が設置され、左右両側の前記スライドブロック１３が前記スライドチャンバー１２の中でスライドする時、前記スライドブロック１３が前記回転機構１０３を通して前記洗浄ブラシ１４を回転連動させ、前記洗浄ブラシ１４にレンジフードを更にきれいに洗浄させることができ、前記洗浄箱４０の中にはまた前記スライドブロック１３のスライドに動力を提供する動力機構１０４が設置されている。
【００１７】
それから、もう一つの実施例において、前記クランプ機構１０１は前記クランプ箱２１の中に設置された伸縮チャンバー２０を含み、前記伸縮チャンバー２０の中には伸縮ロッド２５がスライドできるように取り付けられ、前記伸縮ロッド２５と前記伸縮チャンバー２０との間には第一バネ１９が固定的に取り付けられ、前記伸縮ロッド２５の頂面にはクランプロッド２４が固定的に取り付けられ、前記クランプロッド２４にはクランプブロック２３がスライドできるように取り付けられ、前記クランプロッド２４において前記クランプブロック２３の上方には蝶ナット２２がネジ山により取り付けられ、それによりレンジフードをクランプブロック２３とクランプ箱２１との間に挟み、それに蝶ナット２２を回転させることによりきつく挟む。
【００１８】
それから、もう一つの実施例において、前記洗浄機構１０２はまた前記スライドチャンバー１２の左側に設置された洗剤チャンバー２８を含み、前記洗剤チャンバー２８の右側にはポンプ１６が設置され、前記ポンプ１６の左側面には抽水管１８が固定的に取り付けられ、前記抽水管１８が前記洗剤チャンバー２８と連通し、前記ポンプ１６の右側面には前記洗浄箱４０の頂面を貫通した排水管１５が固定的に取り付けられ、前記排水管１５の頂壁にはノズル１７が固定的に取り付けられ、それにより洗浄機構１０２が洗浄を行う時、ポンプ１６が抽水管１８を通して洗剤を洗剤チャンバー２８の中から抽出し、それに排水管１５とノズル１７とを通して噴出する。
【００１９】
それから、もう一つの実施例において、前記回転機構１０３は前記スライドチャンバー１２の前側内壁に固定的に取り付けられた第一ラック５０を含み、前記スライドブロック１３の中には前方に開口したサポートチャンバー５３が設置され、前記洗浄ブラシ１４の底面には前記サポートチャンバー５３の頂壁を貫通したサポートロッド５１が固定的に取り付けられ、前記サポートロッド５１の底面には第四歯車５２が固定的に取り付けられ、前記第四歯車５２が前記第一ラック５０と噛み合っており、それによりスライドブロック１３がスライドチャンバー１２の中でスライドする時、第一ラック５０が第四歯車５２を回転させ、第四歯車５２が回転しサポートロッド５１を回転連動させ、洗浄ブラシ１４を回転させる。
【００２０】
それから、もう一つの実施例において、前記動力機構１０４は前記移動箱３０の中に設置されたモーター４９を含み、前記モーター４９の左右両側には噛合チャンバー４５が対称的に設置され、前記モーター４９の左右両側面には前記噛合チャンバー４５を貫通した動力ロッド４８が固定的に取り付けられ、前記動力ロッド４８において前記噛合チャンバー４５の中には第一ベベルギア４７が固定的に取り付けられ、前記回転チャンバー３２の前側内壁の中には前記噛合チャンバー４５の前側内壁を貫通したネジ山ロッド１１が回転できるように取り付けられ、前記ネジ山ロッド１１の後側面には第二ベベルギア４６が固定的に取り付けられ、前記第二ベベルギア４６と前記第一ベベルギア４７と噛み合っており、それによりモーター４９が起動して動力ロッド４８を回転連動させる時、動力ロッド４８が第一ベベルギア４７と第二ベベルギア４６との噛合を通してネジ山ロッド１１を回転連動させ、ネジ山ロッド１１が回転して洗浄箱４０を前後に移動することを可能となる。
【００２１】
それから、もう一つの実施例において、前記回転チャンバー３２の中には第二ラック３１が固定的に取り付けられ、前記洗浄箱４０の中には伝動チャンバー３８が左右対称的に設置され、前記伝動チャンバー３８と前記回転チャンバー３２との間には連結ロッド３５が回転できるように取り付けられ、前記連結ロッド３５の底面には第一歯車３４が固定的に取り付けられ、前記第一歯車３４が前記第二ラック３１と噛み合っており、それにより洗浄箱４０が前後に移動する時、第二ラック３１が第一歯車３４を回転連動させ、連結ロッド３５を回転させる。
【００２２】
それから、もう一つの実施例において、前記連結ロッド３５の頂面には第二歯車３６が固定的に取り付けられ、前記スライドチャンバー１２の底壁にはヒンジチャンバー４１が連通するように設置され、前記ヒンジチャンバー４１と前記伝動チャンバー３８との間には回転ロッド４４が回転できるように取り付けられ、前記回転ロッド４４の底面には第三歯車３９が固定的に取り付けられ、前記第三歯車３９と前記第二歯車３６との間にはチェーン３７が動力が伝動できるように取り付けられ、前記回転ロッド４４の頂面には回転盤４３が固定的に取り付けられ、前記回転盤４３の頂面にはヒンジロッド４２がヒンジにより取り付けられ、前記ヒンジロッド４２が前記スライドブロック１３とヒンジにより取り付けられ、それにより連結ロッド３５が回転する時、連結ロッド３５が第二歯車３６を回転連動させ、第二歯車３６がチェーン３７を通して第三歯車３９を回転連動させ、第三歯車３９が回転して回転ロッド４４と回転盤４３とを回転連動させ、回転盤４３がヒンジロッド４２を通してスライドブロック１３を左右に移動させる。
【００２３】
それから、もう一つの実施例において、前記制限機構１０５は前記クランプ箱２１の中に設置された引っ張りチャンバー２７を含み、前記引っ張りチャンバー２７が前記移動チャンバー３３と連通され、前記引っ張りチャンバー２７の中には引っ張り板２６がスライドできるように取り付けられ、前記引っ張り板２６と前記引っ張りチャンバー２７との間には第二バネ２９が固定的に取り付けられ、前記引っ張り板２６が前記移動箱３０と貼り付いた面には歯車の歯が設置され、それにより引っ張り板２６が移動箱３０の移動を制限でき、引っ張り板２６を引っ張ることを通して引っ張り板２６と移動箱３０とを引っ掛かり状態から離脱させ、移動箱３０の位置を調整することにより洗浄機構１０２の洗浄面積を増加できる。
【００２４】
使用する時、レンジフードをクランプブロック２３とクランプ箱２１との間に挟むことができ、また蝶ナット２２を回転させることを通してきつく挟み、洗浄機構１０２が洗浄を行う時、ポンプ１６が抽水管１８を通して洗剤を洗剤チャンバー２８の中から抽出し、それに排水管１５とノズル１７とを通して噴射し、モーター４９が起動して動力ロッド４８を回転連動させる時、動力ロッド４８が第一ベベルギア４７と第二ベベルギア４６との噛合を通してネジ山ロッド１１を回転連動させ、ネジ山ロッド１１が回転して洗浄箱４０を前後に移動することを可能とさせ、その時に第二ラック３１が第一歯車３４を回転連動させ、連結ロッド３５を回転させ、連結ロッド３５が回転して第二歯車３６を回転連動させ、第二歯車３６がチェーン３７を通して第三歯車３９を回転連動させ、第三歯車３９が回転して回転ロッド４４と回転盤４３とを回転連動させ、回転盤４３がヒンジロッド４２を通してスライドブロック１３を左右に移動させ、スライドブロック１３がスライドチャンバー１２の中にスライドする時、第一ラック５０が第四歯車５２を回転させ、第四歯車５２が回転してサポートロッド５１を回転連動させ、洗浄ブラシ１４を回転させ、レンジフードの表面に洗浄を行い、引っ張り板２６が移動箱３０の移動を制限でき、引っ張り板２６を引っ張ることを通して引っ張り板２６と移動箱とを引っ掛かり状態から離脱させ、移動箱３０の位置を調整することにより洗浄機構１０２の洗浄面積を増加できる。
【００２５】
本発明の有益効果：本発明はクランプ機構中のクランプブロックとクランプ箱を通し、装置全体をレンジフードにきつく挟み、洗浄過程全体において人をスツール或いは高度を増加できる物体に立たせる必要がなく、人員の安全を保証し、それに、洗浄の過程においてポンプが排水管を通して洗剤を絶え間なく噴射し、洗浄機構の中のスライドブロックが左右にスライドすると同時に、洗浄ブラシが第一ラックを通して回転し、レンジフードの表面をよりよく洗浄でき、よりきれいに洗浄し、洗浄する時、洗浄箱が前後にスライドし、それに制限機構を通して洗浄箱の位置を調整することができ、洗浄の範囲を増加し、レンジフードの表面を全部きれいに洗浄し、普及に値する。
【００２６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。